(57)【要約】【課題】被検体の拘束時間を延長することなく、操作者に素早い操作を要求し負担を強いることなく、再撮影理由（写損理由）を記録することができるＸ線撮影装置を提供することを目的とする。【解決手段】タッチパネルの写損理由を入力する入力画面（写損理由入力画面）８Ｃ，８Ｄにチェックボックス８ｈを設け、検査終了後に写損理由入力画面８Ｃあるいは写損理由入力画面８Ｄに切り替わるようにする。チェックボックス８ｈを押してチェックを入れることで、チェックを入れたチェックボックス８ｈに対応した写損理由を検査終了後に入力することにより、再撮影理由（写損理由）の入力時間が減った分、被検体の拘束時間を延長することなく、操作者に素早い操作を要求し負担を強いることなく、再撮影理由（写損理由）を記録することができる。【選択図】図３
2017035294.tif 000002
【特許請求の範囲】
【請求項１】
Ｘ線撮影を行うＸ線撮影装置であって、
検査終了後に再撮影理由を入力する入力手段を備えることを特徴とするＸ線撮影装置。
【請求項２】
請求項１に記載のＸ線撮影装置において、
撮影失敗と設定された写損画像であって、複数の前記写損画像を一覧表示する、あるいは複数の前記写損画像から各画像に切り替え表示する第１表示制御手段を備え、
表示対象の画像と対応づけて前記入力手段により前記再撮影理由を入力する
ことを特徴とするＸ線撮影装置。
【請求項３】
請求項１または請求項２に記載のＸ線撮影装置において、
撮影失敗と設定された写損画像とは別の画像を、新たな写損画像に変更する画像変更手段を備えることを特徴とするＸ線撮影装置。
【請求項４】
請求項１から請求項３のいずれかに記載のＸ線撮影装置において、
同一撮影部位毎にまとめてＸ線画像を表示する第２表示制御手段を備えることを特徴とするＸ線撮影装置。
【発明の詳細な説明】
【技術分野】
【０００１】
この発明は、Ｘ線撮影を行うＸ線撮影装置に係り、特に、再撮影を行う技術に関する。
【背景技術】
【０００２】
従来、この種の装置として、Ｘ線撮影デジタル装置がある。Ｘ線撮影デジタル装置を使った検査では、医師からのオーダがあった撮影部位にしたがって患者（被検体）のポジショニング（位置合わせ）やＸ線撮影条件（例えば管電圧や管電流や照射時間など）の設定を行い、Ｘ線の照射によるＸ線撮影やＸ線撮影により得られたＸ線画像の確認を行う。なお、必要ならば画像処理による修正（例えばオフセット補正や階調変換やグリッド除去など）を行う。
【０００３】
Ｘ線撮影により得られたＸ線画像が診断に足る画像だと技師が判断したらＸ線画像を画像サーバもしくはプリンタへ送信する。このＸ線画像の確認において画像処理等の修正を行っても診断に足る画像を作成することができないことがあり、この場合には再撮影を行う。
【０００４】
例えば、患者の体厚によってＸ線撮影条件を変更する（例えば体厚が薄ければ照射するＸ線の線量を減らして、体厚が厚ければ線量を増やす）が、このＸ線撮影条件が適切でないために診断部位がうまく抽出されないことがある。他にも患者が小児の場合において患者が動いたりすることで再撮影を行うことがある。その他にも、不適切な装着物（例えばネックレスや柄物のシャツ）を装着することで、異物として認識されることもある。
【０００５】
これらの撮影ミス（ポジショニングによる失敗、不適切なＸ線撮影条件による失敗）により患者に余計な被曝を与える。また、再撮影により検査時間が延びて、次以降に診断すべき患者の撮影が遅れるので、患者に精神的な負担を与えることになる。かかる撮影ミスをいかになくすかが病院の課題であり、ミスの発生率を低減させるために病院は技師の教育を行っている。
【０００６】
技師の教育を行う材料として、過去の撮影失敗（以下、「写損」と呼ぶ）の多いプロトコル（手順），発生原因，発生率などの統計解析処理（「Retake Analysis」と呼ばれる）を行い、管理者がそれを分析して技師に指導を行うことにより写損発生率を低減させる。また、撮影失敗（写損）を確認した時点で、撮影失敗の画像を写損画像として設定（写損指定）して、その理由（「再撮影理由」または「写損理由」とも呼ばれる）を入力する撮影装置がある（例えば、特許文献１、２参照）。
【先行技術文献】
【特許文献】
【０００７】
【特許文献１】特開２００７−４４２７２号公報
【特許文献２】特許第５５３９４３５号公報
【発明の概要】
【発明が解決しようとする課題】
【０００８】
しかしながら、このような構成を有する従来例の場合には、次のような問題がある。
すなわち、写損となった撮影をやりなおすために、再度、Ｘ線撮影しようとする直前に再撮影理由（写損理由）を入力するという手数の多い作業を実施することは、患者（被検体）を撮影台に拘束する時間が長くなる。このことは、被検体は多くの場合、けがや病気などにより体調の悪い患者であることを考えると好ましくない。また、被検体の拘束時間を短くしようと努力する操作者（例えば技師）は、素早い操作をしようとし、操作者に対しても負担を強いる。
【０００９】
また、通常は写損が発生したら、撮影に成功した最新の画像が最終的に得られる画像となる。つまり、通常は最新の画像が写損画像ではない。しかし、小児が動く場合には最新の画像が写損画像でないとは限らない。具体的には、写損画像の候補となる複数の画像を撮影し、技師が複数の画像を比較する。そして、比較の結果、技師が最良だと判断した画像以外を写損画像とする。このように、小児が動く場合には写損画像が完全に決定するのは、技師が複数の画像を比較した後となる。したがって、写損画像が完全に決定しない時点で写損理由を入力するのは手間がかかるという問題もある。
【００１０】
この発明は、このような事情に鑑みてなされたものであって、被検体の拘束時間を延長することなく、操作者に素早い操作を要求し負担を強いることなく、再撮影理由（写損理由）を記録することができるＸ線撮影装置を提供することを目的とする。
【課題を解決するための手段】
【００１１】
発明者は、上記の問題を解決するために鋭意研究した結果、次のような知見を得た。
【００１２】
すなわち、上述したように小児が動く場合には写損画像が完全に決定するのは、技師が複数の画像を比較した後となる。このことを鑑みれば、従来の場合には撮影失敗の度に再撮影理由（写損理由）をそれぞれ入力するという発想を変えて、検査終了後に写損画像が完全に決定してから再撮影理由（写損理由）をまとめて入力するという発想に至った。さすれば、再撮影理由（写損理由）の入力時間が減った分、被検体の拘束時間を短くして、操作者に素早い操作を要求し負担を強いることなく、再撮影理由（写損理由）を記録することができるという知見を得た。また、小児が動く場合に写損画像が完全に決定しない時点で写損理由を入力するのは手間がかかるという課題をも解決することができるという知見を得た。
【００１３】
このような知見に基づくこの発明は、次のような構成をとる。
すなわち、この発明に係るＸ線撮影装置は、Ｘ線撮影を行うＸ線撮影装置であって、検査終了後に再撮影理由を入力する入力手段を備えることを特徴とするものである。
【００１４】
［作用・効果］この発明に係るＸ線撮影装置によれば、入力手段により検査終了後に再撮影理由を入力することにより、再撮影理由（写損理由）の入力時間が減った分、被検体の拘束時間を延長することなく、操作者に素早い操作を要求し負担を強いることなく、再撮影理由（写損理由）を記録することができる。
【００１５】
なお、特許文献１：特開２００７−４４２７２号公報のステップＳ２３では写損理由を入力して撮影処理を終了しているが、
段落番号「００４７」に「図１０はＸ線撮影装置の制御プログラムのフローチャート図である。…ステップＳ２に進み撮影処理を実行する。続いて、ステップＳ３で撮影オーダを全て終了したか否かを調べ、終了していない場合はステップＳ２に戻り撮影処理を実行する。…」と記載されており、
段落番号「００５０」に「図１１のフローチャート図は図１０のステップＳ２の撮影処理の詳細フローを示している。…」と記載されており、
段落番号「００５２」に「ステップＳ１９の判定が「次撮影釦」でない場合にはステップＳ２２に進み、押された釦が「写損釦」であったか否かを判定する。「写損釦」である場合はステップＳ２３に進み、前述したように写損理由を入力させて撮影記録を写損にして、ステップＳ２１に進んで撮影処理を終了する。」と記載されているように、
図１０のステップＳ２の撮影処理における図１１のステップＳ２３では写損理由を入力して図１０のステップＳ２の撮影処理を終了した後に、図１０のステップＳ２およびステップＳ３を繰り返し実行して一連の撮影を終了することを意味している。よって、特許文献１：特開２００７−４４２７２号公報のステップＳ２３での写損理由入力は、一連の撮影の途中で行うことを意味し、本発明のように全ての検査終了後に再撮影理由を入力することとは相違することに留意されたい。
【００１６】
上述したこの発明に係るＸ線撮影装置において、撮影失敗と設定された写損画像であって、複数の写損画像を一覧表示する、あるいは複数の写損画像から各画像に切り替え表示する第１表示制御手段を備え、表示対象の画像と対応づけて入力手段により再撮影理由を入力するのが好ましい。複数の写損画像を一覧表示する場合には、再撮影理由を一括して記録することができる。複数の写損画像から各画像に切り替え表示する場合には、入力ミスすることなく、再撮影理由を記録することができる。
【００１７】
撮影失敗と設定された写損画像とは別の画像を、新たな写損画像に変更する画像変更手段を備えてもよい。特に、上述したように小児の場合に動いたりする際には複数の画像を比較して撮影失敗（写損）の画像を変更する可能性がある。そこで、上述の画像変更手段を備えることにより、かかる問題（小児が動く場合に写損画像を変更しなければならない問題）を解決することができる。小児のみならず老人が動く場合にも適用することができる。
【００１８】
また、同一撮影部位毎にまとめてＸ線画像を表示する第２表示制御手段を備えてもよい。Ｘ線撮影すると写損画像を含む各Ｘ線画像が時系列に逐次に得られる。通常は同一撮影部位毎にまとめてＸ線撮影するが、例えば小児が動く場合などのように対象となる撮影部位での撮影を中断して、別の撮影部位での撮影を開始する。このように同一撮影部位毎にまとめてＸ線撮影しない場合には、上述の第２表示制御手段を備えることにより、同一撮影部位毎に再撮影理由（写損理由）を一括して記録することができる。
【発明の効果】
【００１９】
この発明に係るＸ線撮影装置によれば、入力手段により検査終了後に再撮影理由を入力することにより、再撮影理由（写損理由）の入力時間が減った分、被検体の拘束時間を延長することなく、操作者に素早い操作を要求し負担を強いることなく、再撮影理由（写損理由）を記録することができる。
【図面の簡単な説明】
【００２０】
【図１】実施例に係るＸ線撮影装置のブロック図である。
【図２】（ａ）および（ｂ）はＸ線撮影装置の表示部の検査画面の表示態様である。
【図３】（ａ）および（ｂ）はＸ線撮影装置の表示部の写損理由入力画面の表示態様である。
【図４】（ａ）は写損画像の変更前の表示態様、（ｂ）は写損画像の変更後の表示態様である。
【図５】同一撮影部位毎にまとめてＸ線画像をサムネイル表示する場合の表示態様である。
【実施例】
【００２１】
以下、図面を参照してこの発明の実施例を説明する。
図１は、実施例に係るＸ線撮影装置のブロック図であり、図２（ａ）および図２（ｂ）は、Ｘ線撮影装置の表示部の検査画面の表示態様であり、図３（ａ）および図３（ｂ）は、Ｘ線撮影装置の表示部の写損理由入力画面の表示態様であり、図４（ａ）は、写損画像の変更前の表示態様であり、図４（ｂ）は、写損画像の変更後の表示態様であり、図５は、同一撮影部位毎にまとめてＸ線画像をサムネイル表示する場合の表示態様である。
【００２２】
本実施例に係るＸ線撮影装置は、図１に示すように、患者である被検体Ｍを載置した天板１と、被検体Ｍに向けてＸ線を照射するＸ線管２と、Ｘ線管２から照射されて被検体Ｍを透過したＸ線を検出するフラットパネル型Ｘ線検出器（以下、「ＦＰＤ」と略記する）３とを備えている。
【００２３】
この他に、Ｘ線撮影装置は、ＦＰＤ３によって検出されたＸ線に基づいて画像処理を行う画像処理部４と、後述する各構成部を統括するコントローラ５と、コントローラ５を介してＦＰＤ３で得られた画像処理前のＸ線画像や画像処理部４によって各種の画像処理で得られたＸ線画像を記憶するとともに、後述する再撮影理由（写損理由）を記憶するメモリ部６と、技師などの操作者がデータや命令（コマンド）を入力する入力部７と、画像処理前のＸ線画像や画像処理部４による画像処理後のＸ線画像を表示するとともに、後述する検査画面８Ａ，８Ｂ（図２を参照）や写損理由を入力する入力画面（写損理由入力画面）８Ｃ，８Ｄ（図３を参照）を表示する表示部８とを備えている。コントローラ５は、この発明における第１表示制御手段に相当し、この発明における第２表示制御手段にも相当し、入力部７は、この発明における入力手段に相当し、この発明における画像変更手段にも相当する。
【００２４】
ＦＰＤ３は、その検出面にはＸ線に有感な複数の検出素子を２次元マトリックス状に配列して構成されている。検出素子は、被検体Ｍを透過したＸ線を電気信号に変換して一旦蓄積して、その蓄積された電気信号を読み出すことで、Ｘ線を検出する。各々の検出素子でそれぞれ検出された電気信号を、電気信号に応じた画素値に変換して、検出素子の位置にそれぞれ対応した画素にその画素値を割り当てることでＸ線画像を出力する。出力されたＸ線画像を、コントローラ５を介して画像処理部４あるいはメモリ部６に送り込む。このように、ＦＰＤ３は、Ｘ線を検出する複数の検出素子が行列状（２次元マトリックス状）に構成されており、Ｘ線撮影デジタル装置に用いられる。なお、Ｘ線検出器はＦＰＤに限定されず、イメージインテンシファイア（Ｉ．Ｉ）などのＸ線撮影アナログ装置に用いられるＸ線検出器であってもよい。
【００２５】
画像処理部４やコントローラ５は、中央演算処理装置（ＣＰＵ）などで構成されている。「背景技術」の欄でも述べたように、画像処理は、例えばオフセット補正や階調変換やグリッド除去などである。画像処理部４での画像処理を行わなくともＦＰＤ３で得られたＸ線画像が診断に足る画像だと技師が判断したらＸ線画像をメモリ部６に直接に送り込む。逆に画像処理が必要であると技師が判断したらＸ線画像を画像処理部４に送り込んで画像処理部４での画像処理を行った後にメモリ部６に送り込む。コントローラ５の具体的な機能については詳しく後述する。
【００２６】
メモリ部６は、ＲＯＭ（Read-only Memory）やＲＡＭ（Random-Access Memory）などに代表される記憶媒体で構成されている。本実施例では、ＦＰＤ３で得られた（画像処理前の）Ｘ線画像や画像処理部４による画像処理後のＸ線画像を書き込んで記憶し、適宜必要に応じてメモリ部６からＸ線画像を読み出して表示部８、あるいはプリンタ（図示省略）や画像サーバ（図示省略）に送り込む。また、表示部８の写損理由入力画面８Ｃ，８Ｄ（図３を参照）に入力された写損理由を書き込んで記憶し、適宜必要に応じてメモリ部６から読み出して、表示部８の画面に送り込む。
【００２７】
入力部７は、マウスやキーボードやジョイスティックやトラックボールやタッチパネルなどに代表されるポインティングデバイスで構成されている。本実施例では、入力部７をタッチパネルで構成することで、表示部８は入力部７の機能を兼用する。入力部７（ここではタッチパネル）の具体的な機能についても詳しく後述する。
【００２８】
表示部８はタッチパネルやモニタやテレビジョンなどで構成されている。本実施例では、上述したように表示部８は入力部７の機能を兼用して、表示部８をタッチパネルで構成する。表示部８の具体的な表示態様についても詳しく後述する。
【００２９】
図２（ａ）に示すように、表示部８の検査画面８Ａは、撮影画像表示画面８ａと撮影済みマーク８ｂと撮影方法選択ボタン８ｃとサムネイル表示画面８ｄと写損指定ボタン８ｅと検査終了ボタン８ｆとからなる。表示部８はタッチパネルであるので、技師などの操作者が撮影方法選択ボタン８ｃや写損指定ボタン８ｅ検査終了ボタン８ｆを指で押すことで、各ボタンに対応したデータや命令（コマンド）を入力する。
【００３０】
撮影画像表示画面８ａに、撮影されたＸ線画像（撮影画像）を表示する。上述したように画像処理部４（図１を参照）での画像処理を行わなくともＦＰＤ３（図１を参照）で得られたＸ線画像が診断に足る画像だと技師が判断したらＸ線画像をメモリ部６（図１を参照）に直接に送り込み、画像処理が必要であると技師が判断したらＸ線画像を画像処理部４に送り込んで画像処理部４での画像処理を行った後にメモリ部６に送り込む。そして、Ｘ線画像をメモリ部６から読み出して、表示部８の検査画面８Ａに送り込み、Ｘ線画像（撮影画像）を撮影画像表示画面８ａに表示する。
【００３１】
撮影が済んだＸ線画像については、該当する撮影方法選択ボタン８ｃの傍らに撮影済みマーク８ｂが表示される。図２（ａ）では撮影方法選択ボタン８ｃは、３つの「胸正」，「胸側」，「腰正」のボタンからなる。「胸正」は胸部正面であり、「胸側」は胸部側面であり、「腰正」は腰部正面である。もちろん、撮影方法選択ボタン８ｃは、図２（ａ）に示す表示態様に限定されない。
【００３２】
撮影方法選択ボタン８ｃを押すと、撮影方法選択ボタン８ｃが押された撮影方法に該当するＸ線画像（撮影画像）が撮影画像表示画面８ａに表示される。その際に、当該Ｘ線画像（撮影画像）については、上述したように該当する撮影方法選択ボタン８ｃの傍らに撮影済みマーク８ｂが表示される。
【００３３】
サムネイル表示画面８ｄに、メモリ部６に記憶された写損画像を含む過去のＸ線画像を縮小してサムネイル表示する。サムネイル表示画面８ｄには、垂直スクロールバー（図示省略）が設けられており、垂直スクロールバーを操作することで、サムネイル表示画面８ｄに表示しきれなかったＸ線画像を過去に遡ってサムネイル表示することが可能である。写損指定ボタン８ｅは、撮影失敗の画像を写損画像として設定（写損指定）する。
【００３４】
写損指定ボタン８ｅを押すと、検査画面８Ａから図２（ｂ）に示すような検査画面８Ｂに切り替わり、写損指定ボタン８ｅが押された時に該当する撮影方法の画面の傍らに写損マーク８ｇが検査画面８Ｂに表示される。その際に、サムネイル表示画面８ｄにサムネイル表示された写損画像にも写損マーク８ｇを重ね合わせて表示するのが好ましい。
【００３５】
検査終了ボタン８ｆを押すと、検査画面８Ｂから図３（ａ）に示すような写損理由入力画面８Ｃ、あるいは図３（ｂ）に示すような写損理由入力画面８Ｄに切り替わる。コントローラ５（図１を参照）により図３（ａ）の写損理由入力画面８Ｃまたは図３（ｂ）の写損理由入力画面８Ｄのいずれかの表示制御を行う。
【００３６】
図３（ａ）では写損理由入力画面８Ｃにおいて、複数の写損画像から各画像に切り替え表示して、表示対象の画像と対応づけてチェックボックス８ｈにより再撮影理由（写損理由）を入力する。図３（ｂ）では写損理由入力画面８Ｄにおいて、複数の写損画像を一覧表示して、表示対象の画像と対応づけてチェックボックス８ｈにより再撮影理由（写損理由）を入力する。
【００３７】
具体的には、図３（ａ）に示すように、表示部８の写損理由入力画面８Ｃは、上述のチェックボックス８ｈ、さらに写損理由キャンセルボタン８ｉと写損理由承諾ボタン８ｊとからなる。または、図３（ｂ）に示すように、表示部８の写損理由入力画面８Ｄは、図３（ａ）と同様のチェックボックス８ｈ，写損理由キャンセルボタン８ｉおよび写損理由承諾ボタン８ｊ、さらに水平スクロールバー８ｋからなる。
【００３８】
上述したように表示部８はタッチパネルであるので、技師などの操作者がチェックボックス８ｈを指で押してチェックを入れることで、チェックを入れたチェックボックス８ｈに対応した写損理由を入力する。また、技師などの操作者が水平スクロールバー８ｋを指で操作することで、写損理由入力画面８Ｄに表示しきれなかった写損画像を表示して、表示対象の画像と対応づけてチェックボックス８ｈにより写損理由を入力する。
【００３９】
図３ではチェックボックス８ｈは、「線量」，「体動」，「異物」，「他」のボックスからなる。「線量」はＸ線の線量による写損理由であり、「体動」は小児や老人などの患者が動いたりすることによる写損理由であり、「異物」は不適切な装着物（例えばネックレスや柄物のシャツ）を装着することで、異物として認識されることによる写損理由であり、「他」はそれら以外の写損理由である。
【００４０】
写損理由を一旦入力してもキャンセルしたい場合には写損理由キャンセルボタン８ｉを押す。写損理由承諾ボタン８ｊを押すと、写損理由をメモリ部６に書き込んで記憶する。
【００４１】
なお、写損指定ボタン８ｅ（図２を参照）で撮影失敗と設定（写損指定）された写損画像とは別の画像を、新たな写損画像に変更するために、図４に示すように表示部８の検査画面８Ｅ，８Ｆを構成してもよい。すなわち、図４（ａ）に示すように、検査画面８Ｅは、図２と同様の撮影画像表示画面８ａ，撮影済みマーク８ｂ，サムネイル表示画面８ｄ，写損指定ボタン８ｅ，検査終了ボタン８ｆおよび写損マーク８ｇ、さらに写損画像キャンセルボタン８ｌからなるように構成されてもよい。
【００４２】
例えば、写損画像の候補となる２枚のＸ線画像を撮影し、技師が２枚のＸ線画像を比較する場合について説明する。図４（ａ）に示すように、サムネイル表示画面８ｄにサムネイル表示された２枚のＸ線画像のうち、上側のＸ線画像が先に写損画像として設定（写損指定）されたとする。先ず、先に写損画像として設定（写損指定）された上側のＸ線画像を選択して撮影画像表示画面８ａに拡大表示する。その際に、撮影画像表示画面８ａに拡大表示された上側のＸ線画像にも写損マーク８ｇを重ね合わせて表示するのが好ましい。
【００４３】
先に写損画像として設定（写損指定）された上側のＸ線画像を写損画像からキャンセルするために、写損画像キャンセルボタン８ｌを押すと、検査画面８Ｅから図４（ｂ）に示すような検査画面８Ｆに切り替わる。さらに、先に写損画像として設定（写損指定）された上側のＸ線画像とは別の画像である下側のＸ線画像を、新たな写損画像に変更するために、下側のＸ線画像を選択して撮影画像表示画面８ａに拡大表示した状態で写損指定ボタン８ｅを押す。すると、サムネイル表示画面８ｄにサムネイル表示された下側のＸ線画像に写損マーク８ｇが新たに重ね合わされて表示されて、当該下側のＸ線画像を選択して撮影画像表示画面８ａに拡大表示する。その際に、撮影画像表示画面８ａに拡大表示された下側のＸ線画像にも写損マーク８ｇを重ね合わせて表示するのが好ましい。
【００４４】
また、コントローラ５により同一撮影部位毎にまとめてＸ線画像を表示する表示制御を行ってもよい。例えば、撮影方法が図２〜図４に示すように「胸正」，「胸側」，「腰正」である場合について説明する。Ｘ線撮影すると写損画像を含む各Ｘ線画像が時系列に逐次に得られるが、事情により同一撮影部位毎にまとめてＸ線撮影しない場合には、同一撮影部位と関係なく各Ｘ線画像が時系列に逐次に得られてしまう。
【００４５】
そこで、かかる場合でも同一撮影部位毎にまとめてＸ線画像を表示するために、図５に示すようにサムネイル表示画面８ｄに「胸正」，「胸側」，「腰正」毎にまとめて各Ｘ線画像を縮小してサムネイル表示する。その際に、同一撮影部位毎に写損画像が複数存在する場合には、区別するために１，２，…とナンバリングするのが好ましい。また、サムネイル表示画面８ｄにサムネイル表示されたＸ線画像を選択すると、選択されたＸ線画像とそれ以外の残りのＸ線画像とを区別するために、選択されたＸ線画像をハイライト表示（強調表示）するのが好ましい。ハイライト表示の態様については特に限定されないが、例えばタッチパネルがカラータッチパネルである場合には、選択されたＸ線画像の枠を色（例えば緑色）でハイライト表示する。
【００４６】
このように、写損指定および写損理由の入力は、時間的に独立した時点で行う。より具体的には、検査終了後に再撮影理由（写損理由）を入力するために、写損理由の入力を検査終了が操作された場合に行う。一連のＸ線撮影・再撮影（検査），写損指定および写損理由の入力に関する流れの観点で、以下を説明する。なお、撮影を除けば、一連の操作を行う操作者は、必ずしも技師である必要はない。
【００４７】
Ｘ線撮影を行う。すると、撮影されたＸ線画像（撮影画像）が撮影画像表示画面８ａに表示される。不適切な画像であると操作者によって判断された場合、操作者は写損指定ボタン８ｅを押して、撮影失敗の画像を写損画像として設定する写損指定を行う。再撮影を行い、撮影失敗（写損）の場合には写損指定および再撮影を繰り返し行う。このようにして、必要な撮影を全て行う。
【００４８】
検査で実施すべき全ての撮影が完了したら、操作者は検査終了ボタン８ｆを押して、検査終了操作を行う。
【００４９】
検査終了操作が行われると、その検査において写損指定が行われていた場合には写損対象となった画像および写損理由の候補を（例えば図３のチェックボックス８ｈに）表示する。なお、小児や老人などの患者が動いたりして写損画像が完全に決定していない場合には、検査終了後に写損画像の候補となる複数の画像を比較して、図４に示すように写損画像を完全に決定する。その検査において写損指定が行われていない（すなわち写損がない）場合には写損理由の候補などを表示することなく、検査を完了する。
【００５０】
写損理由を入力するために、写損理由の候補を（例えば図３のチェックボックス８ｈの中から）選択する。そして、操作者がチェックボックス８ｈを押してチェックを入れることで、チェックを入れたチェックボックス８ｈに対応した写損理由が入力されて、検査を完了する。
【００５１】
検査において複数の画像が写損指定されていた場合には、図３（ａ）に示すようにチェックボックス８ｈにより写損理由を入力する度に写損対象の画像を次々に写損理由入力画面８Ｃに表示する。あるいは図３（ｂ）に示すように写損指定された画像を複数に並べて一覧表示して、各々について写損理由を入力してもよい。
【００５２】
本実施例に係るＸ線撮影装置によれば、入力手段（本実施例ではタッチパネルの入力部７）により検査終了後に再撮影理由を入力することにより、再撮影理由（写損理由）の入力時間が減った分、被検体Ｍの拘束時間を延長することなく、操作者に素早い操作を要求し負担を強いることなく、再撮影理由（写損理由）を記録することができる。
【００５３】
「課題を解決するための手段」の欄でも述べたように、特許文献１：特開２００７−４４２７２号公報の段落番号「００４７」，「００５０」および「００５２」の記載において、図１０のステップＳ２の撮影処理における図１１のステップＳ２３では写損理由を入力して図１０のステップＳ２の撮影処理を終了した後に、図１０のステップＳ２およびステップＳ３を繰り返し実行して一連の撮影を終了することを意味している。よって、特許文献１：特開２００７−４４２７２号公報のステップＳ２３での写損理由入力は、一連の撮影の途中で行うことを意味し、本発明のように全ての検査終了後に再撮影理由を入力することとは相違することに留意されたい。
【００５４】
撮影失敗と設定された写損画像であって、図３（ｂ）に示すように複数の写損画像を一覧表示する、あるいは図３（ａ）に示すように複数の写損画像から各画像に切り替え表示する第１表示制御手段（本実施例ではコントローラ５）を備え、表示対象の画像と対応づけて入力手段（タッチパネルの入力部７）により再撮影理由を入力するのが好ましい。図３（ｂ）に示すように複数の写損画像を一覧表示する場合には、再撮影理由を一括して記録することができる。図３（ａ）に示すように複数の写損画像から各画像に切り替え表示する場合には、入力ミスすることなく、再撮影理由を記録することができる。
【００５５】
図４に示すように、撮影失敗と設定された写損画像とは別の画像を、新たな写損画像に変更する画像変更手段（本実施例ではタッチパネルの入力部７）を備えてもよい。特に、上述したように小児の場合に動いたりする際には複数の画像を比較して撮影失敗（写損）の画像を変更する可能性がある。そこで、上述の画像変更手段（タッチパネルの入力部７）を備えることにより、かかる問題（小児が動く場合に写損画像を変更しなければならない問題）を解決することができる。小児のみならず老人が動く場合にも適用することができる。
【００５６】
また、図５に示すように、同一撮影部位毎にまとめてＸ線画像を表示する第２表示制御手段（本実施例ではコントローラ５）を備えてもよい。Ｘ線撮影すると写損画像を含む各Ｘ線画像が時系列に逐次に得られる。通常は同一撮影部位毎にまとめてＸ線撮影するが、例えば小児が動く場合などのように対象となる撮影部位での撮影を中断して、別の撮影部位での撮影を開始する。このように同一撮影部位毎にまとめてＸ線撮影しない場合には、上述の第２表示制御手段（コントローラ５）を備えることにより、同一撮影部位毎に再撮影理由（写損理由）を一括して記録することができる。
【００５７】
この発明は、上記実施形態に限られることはなく、下記のように変形実施することができる。
【００５８】
（１）上述した実施例では、図１に示す撮影態様（術式）であったが、同一被検体の一連のＸ線撮影（検査）であれば、トモシンセシス(tomosynthesis) などの断層撮影や、複数のＸ線画像を連結して長尺画像（例えば腰椎や脚の骨の画像）を作成する場合にも適用することができる。例えば、腰椎の長尺画像に適用する場合には、撮影方法選択ボタン８ｃ（図２（ａ）を参照）は、「全脊椎」のボタンからなり、例えば連結前のＸ線画像のうち前半に撮影されたＸ線画像が写損画像とならず後半に撮影されたＸ線画像（骨盤付近の腰椎の画像）のみが写損画像となった場合には、後半に撮影されたＸ線画像のみを再撮影して、Ｘ線画像を連結して長尺画像を作成する。
【００５９】
（２）上述した実施例では、入力部７（図１を参照）をタッチパネルで構成することで、表示部８は入力部７（図１を参照）の機能を兼用したが、入力部をマウスで構成し、表示部８の画面のボタンにマウスのポインタを合わせて、そのボタンをクリックすることにより、入力を行ってもよい。
【００６０】
（３）撮影失敗と設定された写損画像とは別の画像を、新たな写損画像に変更するタイミングは、実施例で述べたような検査終了後でもよいし、検査終了前でもよい。
【符号の説明】
【００６１】
５  …  コントローラ
７  …  入力部
８Ａ，８Ｂ，８Ｅ，８Ｆ  …  検査画面
８Ｃ，８Ｄ  …  写損理由入力画面
８ｅ  …  写損指定ボタン
８ｆ  …  検査終了ボタン
８ｈ  …  チェックボックス
【図１】
2017035294.tif 000003
【図２】
2017035294.tif 000004
【図３】
2017035294.tif 000005
【図４】
2017035294.tif 000006
【図５】
2017035294.tif 000007